(57)【要約】【課題】つり革に紫外線を照射する光照射装置において紫外線が届かない領域を減らすことが可能な光照射装置を提供する。【解決手段】つり革の人が握るための握り部に照射光２０ｅを照射する光照射装置において、駆動部は、握り部を回転させる。発光部２０は、握り部に照射光２０ｅを照射する。包囲部は、握り部の一部を包囲する。複数の接触部１６は、握り部の一部と接触する。発光部２０は、包囲部内において複数の接触部１６を避けた位置に設けられる。【選択図】図２
2019209868.tif 000002
【特許請求の範囲】
【請求項１】
つり革の人が握るための握り部に照射光を照射する光照射装置であって、
前記握り部を回転させる駆動部と、
前記握り部に前記照射光を照射する発光部と、
前記握り部の一部を包囲する包囲部と、
を備え、
前記駆動部は、前記握り部の一部と接触する複数の接触部を有し、
前記発光部は、前記包囲部内において前記複数の接触部を避けた位置に設けられることを特徴とする光照射装置。
【請求項２】
前記発光部は、前記握り部を挟んで互いに対向する位置から、前記握り部に前記照射光を照射することを特徴とする請求項１に記載の光照射装置。
【請求項３】
前記握り部は、環状の部材であり、
前記発光部は、前記握り部の内周側に配置される第１ＬＥＤと、前記握り部の外周側に配置される第２ＬＥＤと、を含むことを特徴とする請求項２に記載の光照射装置。
【請求項４】
前記握り部を吊る吊り下げ部材を有し、
前記包囲部は、前記吊り下げ部材に設けられることを特徴とする請求項３に記載の光照射装置。
【請求項５】
前記握り部を吊る吊り下げ部材を有し、
前記包囲部は、前記吊り下げ部材と前記握り部の一部とを収納することを特徴とする請求項３に記載の光照射装置。
【請求項６】
前記包囲部は、前記照射光を反射する反射面を有することを特徴とする請求項１から５のいずれかに記載の光照射装置。
【請求項７】
前記包囲部は、前記照射光の漏洩を減らすための遮蔽部材を有することを特徴とする請求項１から６のいずれかに記載の光照射装置。
【請求項８】
前記発光部は、予め設定されたタイミングで前記照射光の照射を開始しまたは停止するタイマ部を有することを特徴とする請求項１から７のいずれかに記載の光照射装置。
【請求項９】
前記発光部は、周囲の明るさに応じて前記照射光の動作を制御する発光制御部を有することを特徴とする請求項１から８のいずれかに記載の光照射装置。
【発明の詳細な説明】
【技術分野】
【０００１】
本発明は、つり革の握り部に紫外線を照射する光照射装置に関する。
【背景技術】
【０００２】
不特定多数の人間が素手で触るための握り部を有するつり革が知られている。例えば、特許文献１には、電動機の回転力によりゴムローラに掛けたベルト状のつり革を回転させながら殺菌灯で殺菌する方法が記載されている。
【先行技術文献】
【特許文献】
【０００３】
【特許文献１】実開昭４８−１０１３０４号公報
【発明の概要】
【発明が解決しようとする課題】
【０００４】
近年、新型インフルエンザなど感染力の高い感染症の爆発的な流行が懸念されている。感染症の感染経路として、感染者がウイルスの付着した手で触れた部分に、未感染者が触れることで感染する接触感染が重要視されている。都市交通輸送手段には、不特定多数の人間が接触するつり革が多数設けられており、つり革の握り部が接触感染を媒介する可能性が高いと考えられる。このため、感染症の流行を未然に防ぐ観点から、つり革の握り部は適時に殺菌されるべきものといえる。
【０００５】
つり革の握り部を殺菌するために、紫外線を照射する光照射装置を使用することが考えられる。特に、握り部の環を握るとき、人の手は環の外周側より内周側に強く接触する傾向がある。このため、殺菌効果を高めるためには、環の内周側と外周側の両方に紫外線を照射することが望ましい。しかし、特許文献１に記載の装置では、殺菌灯がつり革の外周側にのみ設けられており、殺菌灯からの光はつり革を回転させるゴムローラに遮られて、つり革の内周側には殆ど届かず、その部分の殺菌が不十分になるという問題がある。
【０００６】
本発明の目的は、このような課題に鑑みてなされたもので、つり革に紫外線を照射する光照射装置において紫外線が届かない領域を減らすことが可能な光照射装置を提供することにある。
【課題を解決するための手段】
【０００７】
上記課題を解決するために、本発明のある態様の光照射装置は、つり革の人が握るための握り部に照射光を照射する光照射装置であって、握り部を回転させる駆動部と、握り部に照射光を照射する発光部と、握り部の一部を包囲する包囲部と、を備える。駆動部は、握り部の一部と接触する複数の接触部を有する。発光部は、包囲部内において複数の接触部を避けた位置に設けられる。
【０００８】
この態様によると、握り部を回転させながら接触部を避けた位置から紫外線を照射することができる。
【０００９】
なお、以上の構成要素の任意の組み合わせや、本発明の構成要素や表現を方法、システムなどの間で相互に置換したものもまた、本発明の態様として有効である。
【発明の効果】
【００１０】
本発明によれば、紫外線が届かない領域を減らすことが可能な光照射装置を提供することができる。
【図面の簡単な説明】
【００１１】
【図１】第１実施形態に係る光照射装置を概略的に示す正面図である。
【図２】図１の光照射装置を概略的に示す別の正面図である。
【図３】図１の光照射装置の構成の一例を示すブロック図である。
【図４】図１の光照射装置の動作の一例を示すフローチャートである。
【図５】第２実施形態に係る光照射装置を概略的に示す正面図である。
【図６】図５の光照射装置を概略的に示す別の正面図である。
【図７】図５の光照射装置の動作の一例を示すフローチャートである。
【図８】図５の光照射装置の動作の別の一例を示すフローチャートである。
【発明を実施するための形態】
【００１２】
以下、本発明を好適な実施の形態をもとに各図面を参照しながら説明する。実施の形態、変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１３】
［第１実施形態］
図１〜図３を参照して、本発明の第１実施形態に係る光照射装置１００について説明する。図１は、第１実施形態に係る光照射装置１００を概略的に示す正面図である。図２は、光照射装置１００を概略的に示す別の正面図である。この図は、光照射装置１００の内部を示している。図３は、光照射装置１００の構成の一例を示すブロック図である。
【００１４】
説明の便宜上、図示のように、水平なある方向をＸ軸方向、Ｘ軸方向に直交する水平な方向をＹ軸方向、両者に直交する方向すなわち鉛直方向をＺ軸方向とするＸＹＺ直交座標系を定める。Ｘ軸、Ｙ軸、Ｚ軸のそれぞれの正の方向は、各図における矢印の方向に規定され、負の方向は、矢印と逆向きの方向に規定される。また、Ｘ軸方向を「左右方向」ということもある。また、Ｙ軸方向を「前後方向」ということもある。また、Ｚ軸方向を「上下方向」ということもある。このような方向の表記は光照射装置１００の構成を制限するものではなく、光照射装置１００は、用途に応じて任意の姿勢で使用されうる。なお、以降の説明ではＸＹＺ直交座標系を用いて説明するが、必ずしもＸ軸方向、Ｙ軸方向、Ｚ軸方向は互いに直交していなくとも、略９０度で交差していればよい。
【００１５】
第１実施形態に係る光照射装置１００は、例えば、電車やバスなどの運搬用車両において、人を支持するためのつり革として機能する。光照射装置１００は、握り部１０と、駆動部１４と、発光部２０と、包囲部１８と、吊り下げ部材４０と、制御部３０と、荷重センサ３２と、光センサ３４と、を備え、握り部１０に照射光２０ｅを照射する装置である。握り部１０は、人が握るために、吊り下げ部材４０によって運搬用車両の天井付近から吊り下げられる。駆動部１４は、握り部１０を回転させる駆動機構である。発光部２０は、握り部１０に照射光２０ｅを照射する発光手段である。制御部３０は、発光部２０および駆動部１４の動作を制御する。制御部３０については後述する。荷重センサ３２は、握り部１０に加えられる荷重を検知し、検知結果を制御部３０に渡す。図２に示すように、本実施形態の荷重センサ３２は、吊り下げ部材４０に設けられており、吊り下げ部材４０の張力に基づいて握り部１０に加えられた下向の荷重を検知するように構成されている。光センサ３４は、包囲部１８の周囲の明るさを検知し、検知結果を制御部３０に渡す。
【００１６】
（吊り下げ部材）
吊り下げ部材４０は、握り部１０を吊り下げる部材である。この例の吊り下げ部材４０は、可撓性を有する帯状の部材であり、その長手方向が上下方向に延びている。吊り下げ部材４０は、上下方向に延びる本体部４０ａと、本体部４０ａの下側において折り返された折返し部４０ｂと、を有する。本体部４０ａには、運搬用車両に設けられた電源（不図示）からの配線パターン（不図示）が設けられている。折返し部４０ｂの端部は、複数の留め具４０ｃにより本体部４０ａに固定されている。折返し部４０ｂの内側には、握り部１０の一部を包囲する包囲部１８が形成されている。
【００１７】
（包囲部）
包囲部１８は、握り部１０の一部を包囲し、握り部１０の周囲に空間を形成する。図２の包囲部１８は、天井面がやや湾曲した略直方体形状の内部空間を有している。図２の包囲部１８には、発光部２０と駆動部１４とが収容されている。包囲部１８は、握り部１０を挟んで上下に対向する上面１８ｂと下面１８ｃとを有する。上面１８ｂと下面１８ｃとは、照射光２０ｅを反射する反射面である。上面１８ｂおよび下面１８ｃは、アルミニウムなど紫外線反射率の高い材料で構成されている。包囲部１８の上面１８ｂおよび下面１８ｃ以外の面も紫外線反射率の高い材料で構成された反射面であってもよい。
【００１８】
下面１８ｃには、複数（例えば２つ）の接触部１６と、１つ以上の第１ＬＥＤ２２ａとが設けられている。この例では、２つの接触部１６と１つの第１ＬＥＤ２２ａとは、周方向に互いに離隔して配置されている。つまり、第１ＬＥＤ２２ａは、接触部１６を避けた位置に設けられる。第１ＬＥＤ２２ａは、包囲部１８の左右中心近傍に配置される。２つの接触部１６は、第１ＬＥＤ２２ａより包囲部１８の左右中心から遠い位置に配置される。２つの接触部１６は、包囲部１８の左右幅を２等分する線Ｌｂに対して線対称に配置されている。
【００１９】
上面１８ｂには、複数（例えば３つ）の第２ＬＥＤ２２ｂが設けられている。この例では、３つの第２ＬＥＤ２２ｂは、周方向に互いに離隔して配置されている。３つの第２ＬＥＤ２２ｂは、線Ｌｂに対して線対称に配置されている。
【００２０】
包囲部１８は、照射光２０ｅの漏洩を減らすための遮蔽部材３６を有する。図２の遮蔽部材３６は、包囲部１８の左右両端を覆う板状の部材である。遮蔽部材３６には、握り部１０の断面よりやや大きな開口が設けられており、握り部１０は、この開口を円滑に移動することができる。遮蔽部材３６は、アルミニウムなど紫外線反射率の高い材料で構成されてもよい。
【００２１】
（握り部）
本実施形態の握り部１０は、所定の剛性を有する円環状の部材である。握り部１０は、紫外線照射に耐えうる金属、樹脂、木材など所望の剛性を有する様々な材料で形成されてもよい。本実施形態の握り部１０は、非可撓性を有する樹脂で形成されている。握り部１０は、Ｙ軸方向に延びる回転軸の周りを例えば半時計周りに回転駆動される。以下、正面視の握り部１０の周方向に沿った方向を単に「周方向」という。
【００２２】
（駆動部）
駆動部１４は、握り部１０の一部と接触する接触部１６を有し、握り部１０を周方向に回転駆動する機構である。本実施形態の駆動部１４は、互いに周方向に離れて配置される複数の接触部１６と、各接触部１６を回転させるモータ（不図示）とを有する。この例では、それぞれ握り部１０の内周面と接触する２つの接触部１６を有する。つまり、握り部１０は、２つの接触部１６によって支持されている。この例の接触部１６は、Ｙ軸方向に延びる回転軸を中心に回転可能な円環状のプーリである。モータは、制御部３０によって制御され、運搬用車両に設けられた電源からの電力によって接触部１６を回転させる。
【００２３】
（発光部）
発光部２０は、握り部１０の表面に照射光２０ｅを照射する照射ユニットである。発光部２０は、殺菌作用を有する単一または複数の波長の紫外線を発光するＬＥＤ（Light Emitting Diode）を含んでもよい。このようなＬＥＤとして、窒化アルミニウムガリウム（ＡｌＧａＮ）系のＬＥＤが知られている。照射光２０ｅのピーク波長は２５０ｎｍ〜３５０ｎｍの範囲であってもよく、好ましくは２６５ｎｍ〜３００ｎｍの範囲であってもよい。この例では、照射光２０ｅのピーク波長は２８０ｎｍに設定されている。照射光２０ｅは深紫外線であってもよい。
【００２４】
発光部２０は、包囲部１８内において接触部１６を避けた位置に設けられる。発光部２０は、握り部１０を挟んで互いに対向する位置から、握り部１０に照射光２０ｅを照射する。本実施形態の発光部２０は、握り部１０の内周側に配置される第１ＬＥＤ２２ａと、握り部１０の外周側に配置される第２ＬＥＤ２２ｂと、を含む。第１ＬＥＤ２２ａは、２つの接触部１６の間に配置され、略上向に照射光２０ｅを照射する。このように配置されたことにより、第１ＬＥＤ２２ａからの照射光２０ｅは、接触部１６に殆ど遮られることなく握り部１０の内周側を照らすことができる。
【００２５】
第２ＬＥＤ２２ｂは、それぞれ周方向に離れて配置される３つのＬＥＤを含んでおり、各ＬＥＤは、略下向に照射光２０ｅを照射する。このように配置されたことにより、第２ＬＥＤ２２ｂからの照射光２０ｅは、接触部１６に遮られることなく握り部１０の外周側を照らすことができる。３つのＬＥＤを含むことにより握り部１０の周方向に広い範囲を照らすことができる。また、包囲部１８の反射面に反射することにより、第２ＬＥＤ２２ｂからの照射光２０ｅは、握り部１０の広い範囲を照射することができる。
【００２６】
（制御部）
次に制御部３０について説明する。図３は、光照射装置１００の構成の一例を示すブロック図である。図３に示す制御部３０の各ブロックは、ハードウエア的には、コンピュータのＣＰＵ（Central Processing Unit）をはじめとする素子や機械装置で実現でき、ソフトウエア的にはコンピュータプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００２７】
制御部３０は、荷重検知結果取得部３０ａと、光検知結果取得部３０ｂと、タイマ部３０ｔと、駆動制御部３０ｄと、発光制御部３０ｅと、を含む。荷重検知結果取得部３０ａは、握り部１０に加えられる荷重を検知する荷重センサ３２から、その検知結果を取得する。光検知結果取得部３０ｂは、包囲部１８の周囲の明るさを検知する光センサ３４から、その検知結果を取得する。駆動制御部３０ｄは、発光部２０が発光するときに握り部１０を回転させるように駆動部１４のモータを制御する。発光制御部３０ｅは、荷重検知結果取得部３０ａの取得結果に応じて照射光２０ｅの照射を開始しまたは停止するように発光部２０を制御する。タイマ部３０ｔは、予め設定されたタイミングで照射光２０ｅの照射を開始しまたは停止するように発光部２０を制御する。
【００２８】
制御部３０は、複数のモードにより、発光部２０の動作を制御するようにしてもよい。この例では、制御部３０は、専ら夜間に発光部２０を動作させる第１モードと、任意の時刻範囲内に発光部２０を動作させる第２モードと、昼夜にかかわらず発光部２０を動作させる第３モードとを有している。これらのモードは、制御部３０に予め設定することができる。
【００２９】
第１モードでは、制御部３０は、タイマ部３０ｔに設定された夜間の時間帯（例えば、深夜０時〜４時）において、周囲の明るさが予め設定された閾値未満で、握り部１０に加えられている荷重が予め設定された閾値未満であるときに、握り部１０を回転させると共に発光部２０を動作させる。第１モードによって光照射装置１００を動作させることによって、周囲に人がいない状態において発光部２０を動作させることができるので、漏洩した紫外線による人への影響を抑制することができる。この場合、光照射装置１００は、人が使用する営業時間には発光部２０を動作させず、通常のつり革として使用される。
【００３０】
第２モードでは、制御部３０は、タイマ部３０ｔに設定された営業時間（例えば、６時〜２２時）において、握り部１０に加えられている荷重が予め設定された閾値未満であるときに、握り部１０を回転させると共に発光部２０を動作させる。握り部１０に人が荷重を加えている状態で握り部１０を回転させると故障の原因になるからである。第２モードによって光照射装置１００を動作させることによって、握り部１０が殺菌されている時間が長くなるので、殺菌効果を高めることができる。特に、前の人が握り部１０から手を離したときに殺菌を開始するので、次の人は殺菌された握り部１０に触れることができる。
【００３１】
第３モードでは、時刻にかかわらず、握り部１０に加えられている荷重が予め設定された閾値未満であるときに、握り部１０を回転させると共に発光部２０を動作させる。つまり、第３モードは昼夜兼用で発光部２０を動作させる。第３モードによって光照射装置１００を動作させることによって、握り部１０が殺菌されている時間が長くなるので、殺菌効果を一層高めることができる。なお、第３モードでは、周囲に人がいない夜間には、昼間より照射光２０ｅの強度を高くするように変更してもよい。
【００３２】
次に、図４を参照して、第１モードにおける光照射装置１００の動作の一例について説明する。図４は、光照射装置１００の動作の一例を示すフローチャートであり、この動作に関する処理Ｓ１１０を示している。
【００３３】
処理Ｓ１１０が開始されると、制御部３０は、現時刻が予め設定された動作開始時刻から動作停止時刻までの間の時刻範囲（以下、「時刻範囲」という）内か否かを判定する（ステップＳ１１１）。例えば、動作開始時刻は深夜（例えば０時）で、動作停止時刻は早朝（例えば４時）であってもよい。
【００３４】
現時刻が所定の時刻範囲内でない場合（ステップＳ１１１のＮ）、制御部３０は、発光部２０と駆動部１４とを停止させる（ステップＳ１１５）。このステップで、制御部３０は、発光部２０と駆動部１４とが非動作状態の場合はなにもせず、動作状態の場合はこれらの動作を停止させる。ステップＳ１１５が完了したら制御部３０は、処理をステップＳ１１１の先頭に戻し、ステップＳ１１１とＳ１１５の処理を繰り返す。
【００３５】
現時刻が所定の時刻範囲内である場合（ステップＳ１１１のＹ）、制御部３０は、周囲の明るさが基準より明るいか否かを判定する（ステップＳ１１２）。このステップで、制御部３０は、光検知結果取得部３０ｂで取得した光センサ３４の検知結果と、予め設定された基準値とに基づいて、明るさの判定を行う。
【００３６】
周囲が基準より明るい場合（ステップＳ１１２のＹ）、制御部３０は、発光部２０と駆動部１４とを停止させる（ステップＳ１１５）。このステップで、制御部３０は、発光部２０と駆動部１４とが非動作状態の場合はその状態を維持し、動作状態の場合はこれらの動作を停止させる。ステップＳ１１５が完了したら制御部３０は、処理をステップＳ１１１の先頭に戻し、ステップＳ１１１、Ｓ１１２、Ｓ１１５の処理を繰り返す。
【００３７】
周囲が基準より明るくない（＝暗い）場合（ステップＳ１１２のＮ）、制御部３０は、握り部１０に加わる荷重が基準より大きいか否かを判定する（ステップＳ１１３）。このステップで、制御部３０は、荷重検知結果取得部３０ａで取得した荷重センサ３２の検知結果と、予め設定された基準値とに基づいて、荷重の判定を行う。
【００３８】
荷重が基準より大きい場合（ステップＳ１１３のＹ）、制御部３０は、発光部２０と駆動部１４とを停止させる（ステップＳ１１５）。このステップで、制御部３０は、発光部２０と駆動部１４とが非動作状態の場合はその状態を維持し、動作状態の場合はこれらの動作を停止させる。ステップＳ１１５が完了したら制御部３０は、処理をステップＳ１１１の先頭に戻し、ステップＳ１１１、Ｓ１１２、Ｓ１１３、Ｓ１１５の処理を繰り返す。
【００３９】
荷重が基準より大きくない（＝小さい）場合（ステップＳ１１３のＮ）、制御部３０は、発光部２０と駆動部１４とを動作させる（ステップＳ１１４）。このステップで、制御部３０は、発光部２０と駆動部１４とが動作状態の場合はその状態を維持し、非動作状態の場合はこれらの動作を開始させる。ステップＳ１１４が完了したら制御部３０は、処理をステップＳ１１１の先頭に戻し、ステップＳ１１１〜Ｓ１１４の処理を繰り返す。これらの処理はあくまでも一例であり、他のステップを追加したり、一部のステップを変更または削除したり、ステップの順序を入れ替えてもよい。
【００４０】
このように制御されることにより、光照射装置１００は、動作開始時刻を過ぎて周囲が暗く、荷重が小さい場合に、発光部２０を作動させて握り部１０に照射光２０ｅを照射する。発光部２０が作動するのと略同時に、光照射装置１００は、駆動部１４のモータを回転させて接触部１６を介して握り部１０を回転させる。回転させながら握り部１０に照射光２０ｅを照射することにより、握り部１０の全周を紫外線殺菌することができる。動作停止時刻になると、光照射装置１００は、発光部２０および駆動部１４の動作を停止させる。なお、光照射装置１００は、後述する図７、図８のフローチャートにしたがって、第２モードおよび第３モードで動作をさせることもできる。
以上が、第１実施形態の光照射装置１００の説明である。
【００４１】
［第２実施形態］
図５、図６を参照して、本発明の第２実施形態に係る光照射装置２００について説明する。図５は、第２実施形態に係る光照射装置２００を概略的に示す正面図である。図６は、光照射装置２００を概略的に示す別の正面図である。この図は、光照射装置２００の内部を示している。第２実施形態に係る光照射装置２００は、第１実施形態に対して、包囲部５０の形状と、接触部１６、第１ＬＥＤ２２ａおよび第２ＬＥＤ２２ｂの配置とが異なり、他の構成は同様である。したがって、共通する構成については説明を省略し、相違する構成について重点的に説明する。
【００４２】
包囲部５０は、主に握り部１０の一部を包囲する第１包囲部５０ａと、主に吊り部材４０の折返し部４０ｂを環囲する第２包囲部５０ｂとを含み、ケーシングとしても機能する。図６の第１包囲部５０ａは、周方向に直交する矩形の断面を有する中空部材であり、正面視で下半分が欠けた半円環形状を呈する。第１包囲部５０ａは、握り部１０の上側半分を隙間を介して収容する。第２包囲部５０ｂは、第１包囲部５０ａの左右中心近傍から上向きに延びる角筒状の中空部材であり、正面視で矩形を呈する。第２包囲部５０ｂの中空部は、第１包囲部５０ａの中空部とつながっている。
【００４３】
第１包囲部５０ａは、握り部１０を挟んで上下に対向する上側周面５０ｄと下側周面５０ｅとを有する。上側周面５０ｄと下側周面５０ｅとは、照射光２０ｅを反射する反射面である。下側周面５０ｅには、複数（例えば２つ）の接触部１６と、複数（例えば４つ）の第１ＬＥＤ２２ａとが設けられている。この例では、２つの接触部１６と４つの第１ＬＥＤ２２ａとは、周方向に互いに離隔して配置されている。つまり、第１ＬＥＤ２２ａは、接触部１６を避けた位置に設けられる。２つの接触部１６は、４つの第１ＬＥＤ２２ａより第１包囲部５０ａの左右中心に近い位置に配置される。２つの接触部１６は、第１包囲部５０ａの左右幅を２等分する線Ｌｂに対して線対称に配置されている。４つの第１ＬＥＤ２２ａは、２つの接触部１６より第１包囲部５０ａの左右中心から遠い位置に配置される。４つの第１ＬＥＤ２２ａは、線Ｌｂに対して線対称に配置されている。
【００４４】
上側周面５０ｄには、複数（例えば２つ）の接触部１６と、複数（例えば４つ）の第２ＬＥＤ２２ｂが設けられている。この例では、２つの接触部１６と４つの第２ＬＥＤ２２ｂとは、周方向に互いに離隔して配置されている。つまり、第２ＬＥＤ２２ｂは、接触部１６を避けた位置に設けられる。２つの接触部１６は、４つの第２ＬＥＤ２２ｂより第１包囲部５０ａの左右中心に近い位置に配置される。２つの接触部１６は、線Ｌｂに対して線対称に配置されている。４つの第２ＬＥＤ２２ｂは、２つの接触部１６より第１包囲部５０ａの左右中心から遠い位置に配置される。４つの第２ＬＥＤ２２ｂは、線Ｌｂに対して線対称に配置されている。
【００４５】
下側周面５０ｅに設けられた接触部１６と、上側周面５０ｄに設けられた接触部１６とは、握り部１０を挟んで回転することにより握り部１０を回転させる。挟んで回転させることにより、握り部１０を円滑に回転させることができる。
【００４６】
下側周面５０ｅに設けられた第１ＬＥＤ２２ａと、上側周面５０ｄに設けられた第２ＬＥＤ２２ｂとは、握り部１０を挟んで対向する方向から照射光２０ｅを照射する。対向方向から照射光２０ｅを照射することにより、握り部１０の照射光２０ｅが照射されない領域を減らすことができる。
【００４７】
上側周面５０ｄおよび下側周面５０ｅは、アルミニウムなど紫外線反射率の高い材料で構成されている。第１包囲部５０ａの上側周面５０ｄおよび下側周面５０ｅ以外の面も紫外線反射率の高い材料で構成された反射面であってもよい。
【００４８】
本実施形態の遮蔽部材３６は、図６に示しように、第１包囲部５０ａの中空部の両端を覆うように設けられている。このように構成された光照射装置２００は、第１実施形態の光照射装置１００と同様に動作する。
【００４９】
次に、図７を参照して、光照射装置２００の動作の一例について説明する。第１モードの動作は図４と同様であるので説明を省略する。ここでは、第２モードにおける光照射装置２００の動作について説明する。図７は、光照射装置２００の第２モードの動作の一例を示すフローチャートであり、この動作に関する処理Ｓ２１０を示している。第２モードでは、周囲の明るさにかかわらず営業時間内に駆動部１４と発光部２０とを動作させる点で第１モードと異なる。
【００５０】
処理Ｓ２１０が開始されると、制御部３０は、現時刻が予め設定された営業時間内か否かを判定する（ステップＳ２１１）。例えば、動作開始時刻は６時で、動作停止時刻は２２時であってもよい。
【００５１】
現時刻が所定の営業時間内でない場合（ステップＳ２１１のＮ）、制御部３０は、発光部２０と駆動部１４とを停止させる（ステップＳ２１５）。このステップで、制御部３０は、発光部２０と駆動部１４とが非動作状態の場合はなにもせず、動作状態の場合はこれらの動作を停止させる。ステップＳ２１５が完了したら制御部３０は、処理をステップＳ２１１の先頭に戻し、ステップＳ２１１とＳ２１５の処理を繰り返す。
【００５２】
現時刻が所定の営業時間内である場合（ステップＳ２１１のＹ）、制御部３０は、握り部１０に加わる荷重が基準より大きいか否かを判定する（ステップＳ２１３）。このステップで、制御部３０は、荷重検知結果取得部３０ａで取得した荷重センサ３２の検知結果と、予め設定された基準値とに基づいて、荷重の判定を行う。
【００５３】
荷重が基準より大きい場合（ステップＳ２１３のＹ）、制御部３０は、発光部２０と駆動部１４とを停止させる（ステップＳ２１５）。このステップで、制御部３０は、発光部２０と駆動部１４とが非動作状態の場合はその状態を維持し、動作状態の場合はこれらの動作を停止させる。ステップＳ２１５が完了したら制御部３０は、処理をステップＳ２１１の先頭に戻し、ステップＳ２１１、Ｓ２１３、Ｓ２１５の処理を繰り返す。
【００５４】
荷重が基準より大きくない（＝小さい）場合（ステップＳ２１３のＮ）、制御部３０は、発光部２０と駆動部１４とを動作させる（ステップＳ２１４）。このステップで、制御部３０は、発光部２０と駆動部１４とが動作状態の場合はその状態を維持し、非動作状態の場合はこれらの動作を開始させる。ステップＳ２１４が完了したら制御部３０は、処理をステップＳ２１１の先頭に戻し、ステップＳ２１１〜Ｓ２１４の処理を繰り返す。これらの処理はあくまでも一例であり、他のステップを追加したり、一部のステップを変更または削除したり、ステップの順序を入れ替えてもよい。
【００５５】
このように制御されることにより、光照射装置２００は、営業時間内で荷重が小さい場合に、発光部２０を作動させて握り部１０に照射光２０ｅを照射する。発光部２０が作動するのと略同時に、光照射装置２００は、駆動部１４のモータを回転させて接触部１６を介して握り部１０を回転させる。回転させながら握り部１０に照射光２０ｅを照射することにより、握り部１０の全周を紫外線殺菌することができる。営業時間外になると、光照射装置２００は、発光部２０および駆動部１４の動作を停止させる。
【００５６】
次に、図８を参照して、光照射装置２００の動作の別の一例について説明する。ここでは、第３モードにおける光照射装置２００の動作について説明する。図８は、光照射装置２００の第３モードの動作の一例を示すフローチャートであり、この動作に関する処理Ｓ２２０を示している。第３モードでは、昼夜にかかわらず駆動部１４と発光部２０とを動作させる点で第２モードと異なる。
【００５７】
処理Ｓ２２０が開始されると、制御部３０は、握り部１０に加わる荷重が基準より大きいか否かを判定する（ステップＳ２２３）。このステップで、制御部３０は、荷重検知結果取得部３０ａで取得した荷重センサ３２の検知結果と、予め設定された基準値とに基づいて、荷重の判定を行う。
【００５８】
荷重が基準より大きい場合（ステップＳ２２３のＹ）、制御部３０は、発光部２０と駆動部１４とを停止させる（ステップＳ２２５）。このステップで、制御部３０は、発光部２０と駆動部１４とが非動作状態の場合はその状態を維持し、動作状態の場合はこれらの動作を停止させる。ステップＳ２２５が完了したら制御部３０は、処理をステップＳ２２３の先頭に戻し、ステップＳ２２３、Ｓ２２５の処理を繰り返す。
【００５９】
荷重が基準より大きくない（＝小さい）場合（ステップＳ２２３のＮ）、制御部３０は、発光部２０と駆動部１４とを動作させる（ステップＳ２２４）。このステップで、制御部３０は、発光部２０と駆動部１４とが動作状態の場合はその状態を維持し、非動作状態の場合はこれらの動作を開始させる。ステップＳ２２４が完了したら制御部３０は、処理をステップＳ２２３の先頭に戻し、ステップＳ２２３、Ｓ２２４の処理を繰り返す。これらの処理はあくまでも一例であり、他のステップを追加したり、一部のステップを変更または削除したり、ステップの順序を入れ替えてもよい。
【００６０】
このように制御されることにより、光照射装置２００は、荷重が小さい場合に、発光部２０を作動させて握り部１０に照射光２０ｅを照射する。発光部２０が作動するのと略同時に、光照射装置２００は、駆動部１４のモータを回転させて接触部１６を介して握り部１０を回転させる。回転させながら握り部１０に照射光２０ｅを照射することにより、握り部１０の全周を紫外線殺菌することができる。光照射装置２００の動作の開始および停止は、操作者によって操作されてもよい。
以上が、第２実施形態の光照射装置２００の説明である。
【００６１】
以上、本発明の各実施形態をもとに説明した。これらの実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００６２】
以下、変形例について説明する。変形例の図面および説明では、実施形態と同一または同等の構成要素、部材には、同一の符号を付する。実施形態と重複する説明を適宜省略し、第１実施形態と相違する構成について重点的に説明する。
【００６３】
第１実施形態の説明では、握り部１０の正面形状が円形である例を示したが、本発明はこれに限定されるものではない。例えば、握り部１０の正面形状は、楕円形、多角形またはこれらの複合形状であってもよい。
【００６４】
第１実施形態の説明では、握り部１０が可撓性を有しない樹脂によって形成される例を示したが、本発明はこれに限定されるものではない。例えば、握り部１０は、可撓性を有するベルト状の部材であってもよい。
【００６５】
第１実施形態の説明では、握り部１０に上下から照射光２０ｅを照射するＬＥＤを備える例を示したが、本発明はこれに限定されるものではない。例えば、握り部１０に前後から照射光２０ｅを照射するＬＥＤを備えてもよい。
【００６６】
第１実施形態の説明では、吊り下げ部材４０が可撓性を有する帯状の部材である例を示したが、本発明はこれに限定されるものではない。例えば、吊り下げ部材４０は、棒状の部材であってもよいし、帯状の部分と棒状の部分とが複合された部材であってもよい。
【００６７】
第１実施形態の説明では、接触部１６のすべてがモータにより回転する例を示したが、本発明はこれに限定されるものではない。例えば、一方の接触部１６はモータにより自力回転し、他方の接触部１６は自力回転せず握り部１０の回転に従って従動回転するように構成されてもよい。
【００６８】
上述の各変形例は上述の実施形態と同様の作用・効果を奏する。
【００６９】
上述の実施形態と変形例の任意の組み合わせもまた本発明の実施形態として有用である。組み合わせによって生じる新たな実施形態は、組み合わされる実施形態および変形例それぞれの効果をあわせもつ。
【００７０】
本発明の一態様の概要は、次の通りである。本発明のある態様の光照射装置１００は、つり革の人が握るための握り部１０に照射光２０ｅを照射する光照射装置であって、握り部１０を回転させる駆動部１４と、握り部１０に照射光２０ｅを照射する発光部２０と、握り部１０の一部を包囲する包囲部１８と、を備える。駆動部１４は、握り部１０の一部と接触する接触部１６を有し、発光部２０は、包囲部１８内において接触部１６を避けた位置に設けられる。
【００７１】
この態様によれば、握り部１０を回転させながら照射光２０ｅを照射することができる。また、発光部２０が、接触部１６を避けた位置から握り部１０に照射光２０ｅを照射することができるので、照射光２０ｅが接触部１６に殆ど遮られず握り部１０に到達する。この結果、照射光２０ｅにより握り部１０の大部分を殺菌することができる。
【００７２】
発光部２０は、握り部１０を挟んで互いに対向する位置から、握り部１０に照射光２０ｅを照射するようにしてもよい。この場合、１方向から照射光２０ｅを照射する場合と比べて、照射光２０ｅにより殺菌可能な範囲を拡げることができる。
【００７３】
握り部１０は、環状の部材であって、発光部２０は、握り部１０の内周側に配置される第１ＬＥＤ２２ａと、握り部１０の外周側に配置される第２ＬＥＤ２２ｂと、を含んでもよい。この場合、第１ＬＥＤ２２ａは、握り部１０の内周側を照らすことができ、第２ＬＥＤ２２ｂは、握り部１０の外周側を照らすことができる。
【００７４】
握り部１０を吊る吊り下げ部材４０を有してもよく、包囲部１８は、吊り下げ部材４０に設けられてもよい。この場合、吊り下げ部材４０の外部に包囲部を設ける場合と比べて、光照射装置１００を小型化することができる。
【００７５】
握り部１０を吊る吊り下げ部材４０を有し、包囲部５０は、吊り下げ部材４０と握り部１０の一部とを収納するように構成されてもよい。この場合、包囲部５０を大きくして、その内部に設ける殺菌用ＬＥＤの数を増やして殺菌効果を高めることができる。
【００７６】
包囲部１８は、照射光２０ｅを反射する反射面を有してもよい。この場合、反射面を有しない場合と比べて、握り部１０の表面に到達する照射光２０ｅを増加させることができる。
【００７７】
包囲部１８は、照射光２０ｅの漏洩を減らすための遮蔽部材３６を有してもよい。この場合、遮蔽部材３６を有しない場合と比べて、包囲部１８から洩れる光を減少させることができる。
【００７８】
発光部２０は、予め設定されたタイミングで照射光２０ｅの照射を開始しまたは停止するタイマ部３０ｔを有してもよい。この場合、例えば、周囲に人がいない深夜の時間帯に殺菌動作を開始し、早朝には殺菌動作を停止させることができる。
【００７９】
発光部２０は、包囲部１８の周囲の明るさに応じて照射光２０ｅの発光を制御する発光制御部３０ｅを有してもよい。この場合、例えば、周囲に人がいない暗い時間帯に殺菌動作を開始し、明るい時間帯には殺菌動作を停止させることができる。
【符号の説明】
【００８０】
１０・・握り部、  １４・・駆動部、  １６・・接触部、  １８、５０・・包囲部、  ２０・・発光部、  ２０ｅ・・照射光、  ２２ａ・・第１ＬＥＤ、  ２２ｂ・・第２ＬＥＤ、  ３０・・制御部、  ３０ｅ・・発光制御部、  ３０ｔ・・タイマ部、  ３２・・荷重センサ、  ３４・・光センサ、  ３６・・遮蔽部材、  ４０・・吊り下げ部材、  １００、２００・・光照射装置。
【図１】
2019209868.tif 000003
【図２】
2019209868.tif 000004
【図３】
2019209868.tif 000005
【図４】
2019209868.tif 000006
【図５】
2019209868.tif 000007
【図６】
2019209868.tif 000008
【図７】
2019209868.tif 000009
【図８】
2019209868.tif 000010